(57)【要約】      （修正有）【課題】水・空気の流入及び排出の機能を有し、構造も簡単で使い勝手の良い手動ポンプを提供する。【解決手段】ピストンロッド５を上下動させるための手動操作部２と、ピストンロッド５が上下動する空間部を備えたシリンダー１と、シリンダー１の下部に設けられ、水・空気を流入させる流入部近傍Ａ内に設けた流入部と、流入部に設けられ水・空気を流入方向にのみ許容する第１バルブと、シリンダー１の下部に、流入部と向かい合う位置に設けられ、水・空気を排出させる排出部近傍Ｂ内に設けた排出部と、排出部に設けられ水あるいは空気を排出方向にのみ許容する第２バルブと、流入部に着脱自在に取り付けられる水流入用の第１ホース２０と、排出部１１に取り付けられる水・空気排出用の第２ホース３０と、を備え、水の流入・排出時には、第１ホース２０を流入部１０に装着した状態で、空気の流入・排出時には、第１ホース２０を外した状態で、手動操作部２による操作を行う。【選択図】図３Ａ
0003152126.tif 000002
【実用新案登録請求の範囲】
【請求項１】
ピストンロッドを上下動させるための手動操作部と、
前記ピストンロッドが上下動する空間部を備えたシリンダーと、
このシリンダーの下部に設けられ、水あるいは空気を流入させる流入部と、
この流入部に設けられ水あるいは空気を流入方向にのみ許容する第１バルブと、
シリンダーの下部に、前記流入部と向かい合う位置に設けられ、水あるいは空気を排出させる排出部と、
この排出部に設けられ水あるいは空気を排出方向にのみ許容する第２バルブと、
前記流入部に着脱自在に取り付けられる第１ホースと、
前記排出部に取り付けられる第２ホースと、を備え、
水の流入・排出時には、前記第１ホースを流入部に装着した状態で、手動操作部を上方に移動させることで第１バルブから水をシリンダー内に流入させ、手動操作部を下方に移動させることで第２バルブからシリンダー内の水を排出させ、
空気の流入・排出時には、前記第１ホースを流入部から外した状態で、手動操作部を上方に移動させることで第１バルブから空気をシリンダー内に流入させ、手動操作部を下方に移動させることで第２バルブからシリンダー内の空気を排出させるように構成したことを特徴とする手動ポンプ。
【請求項２】
前記シリンダーの底面に水抜き用の栓を設けていることを特徴とする請求項１に記載の手動ポンプ。
【請求項３】
前記第２ホースは、前記排出部に対して着脱自在に取り付けられ、かつ、第２ホースの先端部に、空気注入用のアダプタを複数種類、着脱自在に構成したことを特徴とする請求項１又は２に記載の手動ポンプ。
【請求項４】
前記第１バルブ、第２バルブは、複数の穴が形成された垂直壁面と、この垂直壁面の水あるいは空気が移動する下流側に位置する弾性シートと、を備え、水あるいは空気の流入あるいは排出を許容するときは、手動操作部の操作に連動して垂直壁面の前記複数の穴と前記弾性シートの間に隙間が形成されるように構成し、水あるいは空気の流入あるいは排出を禁止するときは、手動操作部の操作に連動して垂直壁面の前記複数の穴と前記弾性シートの間が密着するように構成したことを特徴とする請求項１〜３のいずれか１項に記載の手動ポンプ。
【請求項５】
前記弾性体は、前記垂直壁面の中央部に形成された穴に係合されていることを特徴とする請求項４に記載の手動ポンプ。
【請求項６】
第１ホースと第２ホースの用途を兼用していることを特徴とする請求項１〜５のいずれか１項に記載の手動ポンプ。
【考案の詳細な説明】
【技術分野】
【０００１】
本考案は手動ポンプに関し、特に、家庭で使用するファミリープールに空気を注入したり、プール内の水を排出するのに好適な手動ポンプに関する。
【背景技術】
【０００２】
家庭用で使用する手動ポンプとしては、自転車のタイヤに空気を注ぐ空気つぎ用のポンプが一般的である。また、それ以外に、ビニール製のファミリープールに空気を注入して膨らませるポンプも知られている。
【０００３】
例えば、下記特許文献１は充填及び排気動作を手動で行うことができる充排気用手動ポンプを開示している。このポンプは、ピストンロッドの一端に固定したピストンの外端面から、シリンダー内と連通する連通路をピストンロッド内に形成し、このピストンロッドのピストン固定方向をシリンダー内に挿入し、このシリンダーから突出したピストンロッドに、充気用逆止弁を介して連通路と連通する充気口と、排気用逆止弁を介して連通路と連通する排気口を形成するとともにピストンロッドに、手動用の持手を形成したものである。
【先行技術文献】
【特許文献】
【０００４】
【特許文献１】実開昭６０−１７３６７８号公報
【考案の概要】
【考案が解決しようとする課題】
【０００５】
上記の手動ポンプは、空気の充填と排気を行う機能を有する点で優れているが、持手の位置に空気の流通路を設けており、使い勝手が悪い。また、水の流入や排出を考慮した構造ではない。家庭用のファミリープールなどでは、空気の注入を行うだけでなく、プール内の水の排出を簡便に行うことが望まれていた。通常は、ファミリープールを持ち上げて傾けたりひっくり返すことで、中の水を排出させている。このような作業は、取り扱いが不便であるし、衣服に水がかかるなどの問題が生じていた。上記特許文献１は、ファミリープールに入れられている水の排出に対応できるものではなく、より使い勝手の良い手動ポンプの開発が望まれていた。
【０００６】
本考案は上記実情に鑑みてなされたものであり、その課題は、水あるいは空気の流入及び排出の機能を有し、構造も簡単で使い勝手の良い手動ポンプを提供することである。
【課題を解決するための手段】
【０００７】
上記課題を解決するため本考案に係る手動ポンプは、
ピストンロッドを上下動させるための手動操作部と、
前記ピストンロッドが上下動する空間部を備えたシリンダーと、
このシリンダーの下部に設けられ、水あるいは空気を流入させる流入部と、
この流入部に設けられ水あるいは空気を流入方向にのみ許容する第１バルブと、
シリンダーの下部に、前記流入部と向かい合う位置に設けられ、水あるいは空気を排出させる排出部と、
この排出部に設けられ水あるいは空気を排出方向にのみ許容する第２バルブと、
前記流入部に着脱自在に取り付けられる第１ホースと、
前記排出部に取り付けられる第２ホースと、を備え、
水の流入・排出時には、前記第１ホースを流入部に装着した状態で、手動操作部を上方に移動させることで第１バルブから水をシリンダー内に流入させ、手動操作部を下方に移動させることで第２バルブからシリンダー内の水を排出させ、
空気の流入・排出時には、前記第１ホースを流入部から外した状態で、手動操作部を上方に移動させることで第１バルブから空気をシリンダー内に流入させ、手動操作部を下方に移動させることで第２バルブからシリンダー内の空気を排出させるように構成したことを特徴とするものである。
【０００８】
この考案による手動ポンプの作用・効果を説明する。手動操作部を上下操作することで、ピストンロッドは、シリンダー内の空間部を上下動する。シリンダーの下部には、流入部と排出部が設けられている。流入部と排出部には、それぞれ、第１ホースと第２ホースが取り付けられる。少なくとも、第１ホースは着脱自在である。第２ホースは着脱自在としてもよいし、最初から固定されていてもよい。
【０００９】
例えば、空気をファミリープールに注入するときは、第１ホースを流入部から取り外す。第２ホースの先端部をファミリープールの空気注入部に接続する。手動操作部をシリンダー内で上方に移動させる。このとき、第１バルブからの空気の流入を許容するが、第２バルブからの空気の流入あるいは排出はできない。次に、手動操作部を下方に移動させる。これにより、第２バルブから空気が排出されて、第２ホースを経由してファミリープール内に空気が注入され、ファミリープールを膨らませることができる。このとき、第１バルブからの空気の排出はできない。
【００１０】
一方、ファミリープール内の水を排出するときは、第１ホースを流入部に装着し、その先端部をプール内の水たまり部に挿入しておく。第２ホースの先端部は、水を排出したい排水溝等の適宜の場所にセットする。手動操作部をシリンダー内で上方に移動させる。このとき、第１ホースを介して第１バルブからの水の流入を許容するが、第２バルブからの水の排出はできない。次に、手動操作部を下方に移動させる。これにより、第２バルブから水が排出される。このとき、第１バルブからの水の排出はできない。
【００１１】
以上の通り、１つの手動ポンプで空気の流入・排出と、水の流入・排出を行うことができ、また、流入部と排出部がシリンダーの下部に互いに向かい合うような位置に設けられているので、水や空気の流れもスムーズであると共に、ホースの設置も容易であり使い勝手がよい。また、構造も簡単である。したがって、水あるいは空気の流入及び排出の機能を有し、構造も簡単で使い勝手の良い手動ポンプを提供することができる。
【００１２】
本考案は、前記シリンダーの底面に水抜き用の栓を設けていることが好ましい。シリンダー内に流入した水を完全にシリンダー外に排出できないこともあるので、シリンダーの底面に栓を設けることで、残存する水を排出可能になる。
【００１３】
本考案に係る前記第２ホースは、前記排出部に対して着脱自在に取り付けられ、かつ、第２ホースの先端部に、空気注入用のアダプタを複数種類、着脱自在に構成したことが好ましい。
【００１４】
第２ホースも排出部に着脱自在とすることで、手動ポンプの保管や持ち運びの移動が容易になる。また、第２ホースの先端部に、上記アダプタを着脱自在とすることで、種々のファミリープールやその他の空気注入対象（例えば、自転車のタイヤ、ビーチボール等）にも使用可能になる。
【００１５】
本考案において、前記第１バルブ、第２バルブは、複数の穴が形成された垂直壁面と、この垂直壁面の水あるいは空気が移動する下流側に位置する弾性シートと、を備え、水あるいは空気の流入あるいは排出を許容するときは、手動操作部の操作に連動して垂直壁面の前記複数の穴と前記弾性シートの間に隙間が形成されるように構成し、水あるいは空気の流入あるいは排出を禁止するときは、手動操作部の操作に連動して垂直壁面の前記複数の穴と前記弾性シートの間が密着するように構成したことが好ましい。
【００１６】
垂直壁面に複数の穴を形成して、この穴を介して、空気や水のシリンダー内への流入、シリンダー外への空気や水の排出を行うことができる。また、水や空気の移動する下流側に弾性シートが設けられる。流入部の側の第１バルブでは、手動操作部を持ち上げると、垂直壁面と弾性シートの間に隙間が形成され、空気や水が流入可能になる。同時に、第２バルブでは、垂直壁面と弾性シートが密着し、空気や水の排出はできない状態になる。一方、手動操作部を下方に移動させると、排出部における第２バルブでは、垂直壁面と弾性シートの間に隙間が形成され、空気や水が排出可能になる。同時に、第１バルブでは、垂直壁面と弾性シートの間に隙間が形成され、空気や水の流入はできない状態になる。以上のような構成により、第１・第２バルブの動作を確実に行うことができる。
【００１７】
本考案における前記弾性シートは、前記垂直壁面の中央部に形成された穴に係合されていることが好ましい。
【００１８】
これにより、弾性シートを簡単な方法で垂直壁面に取り付けることができ、第１・第２バルブの動作を確実に行うことができると共に、低コストで第１・第２バルブを実現することができる。
【００１９】
本考案において、第１ホースと第２ホースの用途を兼用していることが好ましい。これにより、いずれが流入部であるか排出部であるかを気にしないでホースの着脱を行うことができ、使い勝手を向上させることができる。
【図面の簡単な説明】
【００２０】
【図１】手動ポンプの上方から見た外観構成を示す斜視図
【図２】手動ポンプの底面から見た外観構成を示す斜視図
【図３Ａ】手動ポンプの内部構造を示す断面図
【図３Ｂ】手動ポンプの内部構造の詳細を示す断面図
【図４】バルブの拡大分解斜視図
【図５Ａ】空気の流入動作を説明する外観斜視図
【図５Ｂ】空気の流入動作を説明する断面図
【図６Ａ】空気の排出動作を説明する外観斜視図
【図６Ｂ】空気の排出動作を説明する断面図
【図７Ａ】水の流入動作を説明する外観斜視図
【図７Ｂ】水の流入動作を説明する断面図
【図８Ａ】水の排出動作を説明する外観斜視図
【図８Ｂ】水の排出動作を説明する断面図
【考案を実施するための形態】
【００２１】
本考案に係る手動ポンプの好適な実施形態を図面を用いて説明する。図１は、手動ポンプの上方から見た外観構成を示す斜視図である。図２は、手動ポンプの底面から見た外観構成を示す斜視図である。
【００２２】
＜手動ポンプの外観構成＞
この手動ポンプは、ファミリープール用として好適である。縦型円筒形の形状を有するシリンダー１が設けられ、その上部に手動操作部２が設けられる。手動操作部２は、手で操作するための把手２ａを備えている。シリンダー１の上面は蓋１ａが設けられており、その上面に多数の穴１ｂが形成される。この穴１ｂは空気の流通穴であり、手動操作部２の上下方向の移動操作を容易にする。
【００２３】
シリンダー１の下部には、流入部１０と排出部１１が設けられている。流入部１０からは空気もしくは水がシリンダー１の内部に流入する。排出部１１からは、シリンダー１内の空気もしくは水が排出される。流入部１０には、第１ホース２０が着脱自在に装着される。排出部１１にも第２ホース３０が着脱自在に装着される。流入部１０と排出部１１は、向かい合うように配置されており、その中心線は一直線上に配列している。
【００２４】
第１ホース２０は、水をシリンダー１内に流入させる目的で使用される。空気を流入させる場合は、流入部１０から取り外す。第１ホース２０の先端部２０ａは、ファミリープール内に溜められた水の中に挿入する。第１ホース２０の根元部には、取り付けナット２１が回転自在に設けられている。この取り付けナット２１を回転操作することで、第１ホース２０の流入部１０に対する着脱操作を行うことができる。シリンダー１側には、この取り付けナット２１に対応した雄ねじが形成されている。
【００２５】
第２ホース３０の先端部３０ａには、多数のアダプタ３を着脱自在に構成している。これらのアダプタ３は、空気を注入するときに使用するもので、水の排出を行うときは、先端部３０ａから外した状態にしてもよいが、適宜装着してもよい。各アダプタ３には、取り付けピン３ａが設けられており、これを先端部３０ａに形成したガイド溝３０ｂに沿わせるように挿入していくことで、アダプタ３を先端部３０ａに取り付けることができる。ファミリープールの空気注入部やビーチボール、自転車のタイヤ等の種々の空気注入部に対応するために、適切なアダプタ３を選択して取り付けられるようにしている。
【００２６】
なお、同じアダプタ３が第１ホース２０の先端部にも取り付け可能である。これは、ファミリープール等の内部に注入した空気を抜く時に利用される。
【００２７】
第２ホース３０の根元部には、取り付けナット３１が回転自在に設けられている。この取り付けナット３１を回転操作することで、第２ホース３０の排出部１１に対する着脱操作を行うことができる。シリンダー１側には、この取り付けナット３１に対応した雄ねじが形成されている。これらの点は、第１ホース２０の場合と同じである。
【００２８】
シリンダー１の底面には、シリンダー１を載置しやすいように支持台１ｃが一体的に取り付けられている。図２に示すように、底面の中央部には、水抜き用の栓４が設けられている。シリンダー１内の水を排出するときは、この栓４を外せばよい。
【００２９】
＜内部構造＞
次に、図３Ａ，３Ｂにより手動ポンプの内部構造を説明する。図３Ａは、全体の断面図であり、図３Ｂの（ａ）は流入部近傍（図３ＡにＡで示す）の拡大断面図、図３Ｂの（ｂ）は排出部近傍（図３ＡにＢで示す）の拡大断面図である。図４は、バルブの拡大分解斜視図である。
【００３０】
手動操作部２には、ピストンロッド５が一体的に取り付けられている。ピストンロッド５の下端側には、ピストンヘッド６が取り付けられている。手動操作部２を上下操作することで、これらピストンロッド５とピストンヘッド６がシリンダー１内の空間部を一体的に上下動する。
【００３１】
流入部１１に設けられた第１バルブ７の構成を説明する。シリンダー１の底面に取り付けられる支持台１ｃの下部に、第１バルブ７が圧入等により取り付けられる。第１バルブ７の外周面には、Ｏリング７１が嵌め込まれている。
【００３２】
第１ホース２０の根元部にはナット取り付け部材２２が固定されており、このナット取り付け部材２２に取り付けナット２１が回転自在に取り付けられている。また、取り付けナット２１が軸方向に外れないように押さえ部材２３が設けられている。取り付けナット２１の内面に形成された雌ねじが、支持台１ｃに形成された雄ねじに螺合する。
【００３３】
第１バルブ７には垂直壁面７ａが一体形成され、図４に示すように、円周方向に沿って６箇所に穴７ｂが形成されている。また、垂直壁面７ａの中央部には穴７ｃが形成される。
【００３４】
第１バルブ７は弾性シート７０を備えている。弾性シート７０はゴム製であり、シート本体部７０ａと、小径部７０ｂと、係止大径部７０ｃとから構成される。水あるいは空気の流入方向は図３Ｂ（ａ）の矢印Ｃに示されるように左側から右側である。シート本体部７０ａは、垂直壁面７ａの水あるいは空気の移動方向の下流側（垂直壁面７ａの右側）に位置し、係止大径部７０ｃは、垂直壁面７ａの上記移動方向の上流側に位置する。弾性シート７０を垂直壁面７ａに組み込むときは、垂直壁面７ａの図示の右側から係止大径部７０ｃを挿入することで行うことができる。垂直壁面７ａの穴７ｃよりも係止大径部７ｃの外径のほうが大きくなっているが、弾性変形させることで挿入させることができる。挿入した後は、係止大径部７ｃが穴７ｃから容易に離脱しないように組み込まれる。
【００３５】
図３Ｂ（ａ）に示す状態では、弾性シート７０が垂直壁面７ａの穴７ｂを閉鎖している状態であり、水あるいは空気の穴７ｂを介しての移動はない。垂直壁面７ａと弾性シート７０のシート本体部７０ａの間に隙間が形成されることで、矢印Ｃ方向から水あるいは空気がシリンダー１内に流入することができる。
【００３６】
排出部１１に設けられた第２バルブ８の構成を説明する。第２バルブ８の構成は基本的に第１バルブ７と同じである。
【００３７】
第２ホース３０の根元部にはナット取り付け部材３２が固定されており、取り付けナット３１が回転自在に取り付けられている。同様に、押さえ部材３３が設けられている。取り付けナット３１の内面に形成された雌ねじが、支持台１ｃに形成された雄ねじに螺合する。
【００３８】
第２バルブ８にも垂直壁面８ａが一体形成され、第１バルブ７の場合と同様に、円周方向に沿って６箇所に穴（不図示）が形成されている。また、垂直壁面８ａの中央部には穴が形成される。
【００３９】
弾性シート７０と同じ形状を有する弾性シート８０はゴム製であり、シート本体部８０ａと、小径部と、係止大径部８０ｃとから構成される。水あるいは空気の排出方向は図３Ｂ（ｂ）の矢印Ｄに示されるように左側から右側である。シート本体部８０ａは、垂直壁面８ａの水あるいは空気の移動方向の下流側（垂直壁面８ａの右側）に位置し、係止大径部８０ｃは、垂直壁面８ａの上記移動方向の上流側に位置する。弾性シート８０を垂直壁面８ａに組み込むときは、垂直壁面８ａの図示の右側から係止大径部８０ｃを挿入することで行うことができる。垂直壁面８ａの中央部の穴よりも係止大径部８ｃの外径のほうが大きいが、弾性変形させることで挿入させることができる。挿入した後は、係止大径部８ｃが中央部の穴から容易に離脱しないように組み込まれる。
【００４０】
図３Ｂ（ｂ）に示す状態では、弾性シート８０が垂直壁面８ａの穴（図４における穴７ｂに相当するもの）を閉鎖している状態であり、水あるいは空気の穴を介しての移動はない。垂直壁面８ａと弾性シート８のシート本体部８０ａの間に隙間が形成されることで、矢印Ｄ方向から水あるいは空気がシリンダー１外へ排出することができる。
【００４１】
＜動作＞
＜空気の流入・排出動作＞
次に、空気の流入・排出時における動作を図５，図６により説明する。図５Ａ，図６Ａは、外観斜視図を示す。図５Ｂ，図６Ｂは、内部の動作を示す。
【００４２】
空気の流入・排出は、例えば、ファミリープールに空気を注入する場合などに行う。まず、第１ホース２０を流入部１０から外す。第２ホース３０は排出部１１に装着する。第２ホース３０の先端部３０ａには、適宜のアダプタ３を装着する。アダプタ３の先端をファミリープールの空気注入部に挿入する。
【００４３】
次に、図５Ａ，図５Ｂに示すように、手動操作部２を上方に持ち上げる。これにより、第１バルブ７の側では弾性シート７０が矢印Ｃ方向に引っ張られる。これにより、シート本体部７０ａが右側へと移動し、シート本体部７０ａと垂直壁面７ａの間に隙間が形成され（第１バルブ７が開く）、空気が垂直壁面７ａに形成された６つの穴７ｂを介してシリンダー１の内部に流入する。なお、このとき、第２バルブ８の方では、シート本体部８０ａが垂直壁面８ａに吸引する方向に作用するため、第２バルブ８を介しての空気の排出や流入は行われることはない。
【００４４】
次に、図６Ａ，図６Ｂに示すように、手動操作部２を下方向に押し下げる。これにより、第２バルブ８の側では弾性シート８０が矢印Ｄ方向に押し出される。これにより、シート本体部８０ａが右側へと移動し、シート本体部８０ａと垂直壁面８ａの間に隙間が形成され（第２バルブ８が開く）、空気が垂直壁面８ａに形成された６つの穴を介してシリンダー１の外部に排出され、第２ホース３０へと排出される。従って、第２ホース３０と接続されたファミリープール内に空気が注入される。なお、このとき、第１バルブ７の方では、シート本体部７０ａが垂直壁面７ａに押し付けられる方向に作用するため、第１バルブ７を介しての空気の排出や流入が行われることはない。
【００４５】
＜水の流入・排出動作＞
次に、水の流入・排出時における動作を図７，図８により説明する。図７Ａ，図８Ａは、外観斜視図を示す。図７Ｂ，図８Ｂは、内部の動作を示す。
【００４６】
水の流入・排出は、例えば、ファミリープール内に溜まった水を排出する場合などに行う。まず、第１ホース２０を流入部１０に装着する。第２ホース３０も排出部１１に装着する。第２ホース３０の先端部３０ａには、必要であれば、適宜のアダプタ３を装着する。先端部３０ａは、排水溝などの適宜の場所にセットする。第１ホース２０の先端部２０ａにも、必要であれば適宜のアダプタ３を装着し、ファミリープール内の水溜り部に先端部２０ａを挿入する。
【００４７】
次に、図７Ａ，図７Ｂに示すように、手動操作部２を上方に持ち上げる。これにより、第１バルブ７の側では弾性シート７０が矢印Ｃ方向に引っ張られる。これにより、シート本体部７０ａが右側へと移動し、シート本体部７０ａと垂直壁面７ａの間に隙間が形成され（第１バルブ７が開く）、水が垂直壁面７ａに形成された６つの穴７ｂを介してシリンダー１の内部に流入する。これにより、プール内の水をシリンダー１内にいったん流入させる。なお、このとき、第２バルブ８の方では、シート本体部８０ａが垂直壁面８ａに吸引する方向に作用するため、第２バルブ８を介しての水の排出や流入は行われることはない。
【００４８】
次に、図８Ａ，図８Ｂに示すように、手動操作部２を下方向に押し下げる。これにより、第２バルブ８の側では弾性シート８０が矢印Ｄ方向に押し出される。これにより、シート本体部８０ａが右側へと移動し、シート本体部８０ａと垂直壁面８ａの間に隙間が形成され（第２バルブ８が開く）、水が垂直壁面８ａに形成された６つの穴を介してシリンダー１の外部に排出され、第２ホース３０へと排出される。従って、第２ホース３０の先端部３０ａから排水溝などへ水を排出できる。なお、このとき、第１バルブ７の方では、シート本体部７０ａが垂直壁面７ａに押し付けられる方向に作用するため、第１バルブ７を介しての水の排出や流入が行われることはない。
【００４９】
なお、水の流入・排出を行った場合、シリンダー１の内部に水が残存することがある。そこで、図３でも説明したとおり、底面の栓４を外すことで、水を直接外部に排出させることができる。
【００５０】
また、本考案に係る手動ポンプは、水を抜くときだけでなく、空気を抜くときにも使用できる。この場合、第１ホース２０の先端部２０ａに適宜のアダプタ３を装着し、ファミリープール等の空気注入部に挿入する。これにより、ファミリープール内の空気を抜くことができる。空気を抜くのは、ファミリープールだけでなく、ビーチボールなどについても同じ目的で使用することができる。
【００５１】
本考案に係る手動ポンプによれば、水あるいは空気の流入及び排出の機能を有し、構造も簡単で使い勝手の良い手動ポンプを提供することができる。
【００５２】
＜別実施形態＞
本実施形態では、ファミリープール用として説明してきたが、本考案に係る手動ポンプは、特定の用途について限定されるものではない。
【００５３】
本実施形態では、第１ホース２０と第２ホース３０を別々のホースであるように説明したが、両者を同じ形状のホースとすることが好ましい。すなわち、第１ホース２０としても使用でき、第２ホースとして使用できるように構成してもよい。これにより、使用者は、ホースの装着位置を気にせずに、使用することができる。
【符号の説明】
【００５４】
１        シリンダー
２        手動操作部
３        アダプタ
４        栓
５        ピストンロッド
７        第１バルブ
７ａ      垂直壁面
８        第２バルブ
８ａ      垂直壁面
１０      流入部
１１      排出部
２０      第１ホース
３０      第２ホース
７０，８０      弾性シート
７０ａ，８０ａ  シート本体部
７０ｃ，８０ｃ  係止大径部
【図１】
0003152126.tif 000003
【図２】
0003152126.tif 000004
【図３Ａ】
0003152126.tif 000005
【図３Ｂ】
0003152126.tif 000006
【図４】
0003152126.tif 000007
【図５Ａ】
0003152126.tif 000008
【図５Ｂ】
0003152126.tif 000009
【図６Ａ】
0003152126.tif 000010
【図６Ｂ】
0003152126.tif 000011
【図７Ａ】
0003152126.tif 000012
【図７Ｂ】
0003152126.tif 000013
【図８Ａ】
0003152126.tif 000014
【図８Ｂ】
0003152126.tif 000015
【手続補正書】
【提出日】平成21年5月14日(2009.5.14)
【手続補正１】
【補正対象書類名】実用新案登録請求の範囲
【補正対象項目名】全文
【補正方法】変更
【補正の内容】
【実用新案登録請求の範囲】
【請求項１】
ピストンロッドを上下動させるための手動操作部と、
前記ピストンロッドが上下動する空間部を備えたシリンダーと、
このシリンダーの下部に設けられ、水あるいは空気を流入させる流入部と、
この流入部に設けられ水あるいは空気を流入方向にのみ許容する第１バルブと、
シリンダーの下部に、前記流入部と向かい合う位置に設けられ、水あるいは空気を排出させる排出部と、
この排出部に設けられ水あるいは空気を排出方向にのみ許容する第２バルブと、
前記流入部に着脱自在に取り付けられる第１ホースと、
前記排出部に取り付けられる第２ホースと、を備え、
水の流入・排出時には、前記第１ホースを流入部に装着した状態で、手動操作部を上方に移動させることで第１バルブから水をシリンダー内に流入させ、手動操作部を下方に移動させることで第２バルブからシリンダー内の水を排出させ、
空気の流入・排出時には、前記第１ホースを流入部から外した状態で、手動操作部を上方に移動させることで第１バルブから空気をシリンダー内に流入させ、手動操作部を下方に移動させることで第２バルブからシリンダー内の空気を排出させるように構成したことを特徴とする手動ポンプ。
【請求項２】
前記シリンダーの底面に水抜き用の栓を設けていることを特徴とする請求項１に記載の手動ポンプ。
【請求項３】
前記第２ホースは、前記排出部に対して着脱自在に取り付けられ、かつ、第２ホースの先端部に、空気注入用のアダプタを複数種類、着脱自在に構成したことを特徴とする請求項１又は２に記載の手動ポンプ。
【請求項４】
前記第１バルブ、第２バルブは、複数の穴が形成された垂直壁面と、この垂直壁面の水あるいは空気が移動する下流側に位置する弾性シートと、を備え、水あるいは空気の流入あるいは排出を許容するときは、手動操作部の操作に連動して垂直壁面の前記複数の穴と前記弾性シートの間に隙間が形成されるように構成し、水あるいは空気の流入あるいは排出を禁止するときは、手動操作部の操作に連動して垂直壁面の前記複数の穴と前記弾性シートの間が密着するように構成したことを特徴とする請求項１〜３のいずれか１項に記載の手動ポンプ。
【請求項５】
前記弾性シートは、前記垂直壁面の中央部に形成された穴に係合されていることを特徴とする請求項４に記載の手動ポンプ。